(57)【要約】【課題】機器側の制御は換えないで、ヒートポンプのエネルギー消費効率が向上したヒートポンプ式温水床暖房装置を提供することにある。【解決手段】ヒートポンプ１により加熱された熱媒が、第１床暖房パネル３と第２床暖房パネル５とを通って循環する循環路を備えたヒートポンプ式温水床暖房装置であって、前記循環路は、管路の途中に、第１床暖房パネルの面内を循環する第１副循環路７と、第２床暖房パネルの面内を循環する第２副循環路９とを有し、第１副循環路での熱媒温度が所定の設定温度より低下した段階で、熱媒は第１副循環路から第２副循環路に流入し、第２副循環路を循環した後、ヒートポンプ１に戻るようになされていることを特徴とする。【選択図】  図１
2004308997.tif 000002
【特許請求の範囲】
【請求項１】
ヒートポンプにより加熱された熱媒が、建物内に敷設された第１床暖房パネルと第２床暖房パネルとを通って循環する循環路を備えたヒートポンプ式温水床暖房装置であって、
前記循環路は、管路の途中に、第１床暖房パネルの面内を循環する第１副循環路と、第２床暖房パネルの面内を循環する第２副循環路とを有し、第１副循環路での熱媒温度が所定の設定温度より低下した段階で、熱媒は第１副循環路から第２副循環路に流入し、第２副循環路を循環した後、ヒートポンプに戻るようになされていることを特徴とするヒートポンプ式温水床暖房装置。
【請求項２】
第１副循環路は、第１床暖房パネルの面内を熱媒が複数回循環するように設けられていることを特徴とする請求項１記載のヒートポンプ式温水床暖房装置。
【請求項３】
前記第１床暖房パネルは居室に敷設され、前記第２床暖房パネルは廊下に敷設されていることを特徴とする請求項１または２記載のヒートポンプ式温水床暖房装置。
【請求項４】
請求項１〜３のいずれか１項に記載のヒートポンプ式温水床暖房装置が設けられていることを特徴とする建物。
【請求項５】
ヒートポンプにより加熱された熱媒が、第１床暖房パネルから第２床暖房パネルを通って循環するヒートポンプ式温水床暖房装置を設けた建物であって、第１床暖房パネルと第２床暖房パネルは、それぞれ別室に敷設されていることを特徴とする建物。
【発明の詳細な説明】
【０００１】
【発明の属する技術分野】
本発明は、ヒートポンプ式温水床暖房装置と、建物に関する。
【０００２】
【従来の技術】
従来のヒートポンプ式温水床暖房装置は、居室の床暖房を対象としており、温水の戻り水温の低下が小さい。そのため、ヒートポンプは、エネルギー消費効率の悪い運転となっていた。
【０００３】
特許文献１に記載のヒートポンプ式温水床暖房装置は、ヒートポンプのエネルギー消費効率を上げるため、床暖房パネルから出て温水熱交換器へ戻る戻り水温を検出し、戻り水温に基づいてサーモオンするとき、そのサーモオンから所定時間の間、ヒートポンプの圧縮機を最低周波数で運転するようにインバータの出力を制御するようにしたものである。
【０００４】
【特許文献１】
特開２０００−４６４１７号公報
【０００５】
【発明が解決しようとする課題】
しかしながら、上記特許文献１記載のような従来技術にあっては、ヒートポンプのＣＯＰ（Ｃｏｅｆｆｉｃｉｅｎｔ  ｏｆ  Ｐａｒｆｏｒｍａｎｃｅ，エネルギー消費効率）をあげるため、ヒートポンプの圧縮機をインバータ制御するようにしたので、ヒートポンプ機器側の制御が複雑でコストアップとなっていた。
【０００６】
本発明の課題は、機器側の制御は代えないで、ヒートポンプのエネルギー消費効率が向上したヒートポンプ式温水床暖房装置を提供することにある。
【０００７】
【課題を解決するための手段】
請求項１記載の発明は、ヒートポンプにより加熱された熱媒が、建物内に敷設された第１床暖房パネルと第２床暖房パネルとを通って循環する循環路を備えたヒートポンプ式温水床暖房装置であって、
前記循環路は、管路の途中に、第１床暖房パネルの面内を循環する第１副循環路と、第２床暖房パネルの面内を循環する第２副循環路とを有し、第１副循環路での熱媒温度が所定の設定温度より低下した段階で、熱媒は第１副循環路から第２副循環路に流入し、第２副循環路を循環した後、ヒートポンプに戻るようになされていることを特徴とする。
【０００８】
請求項２記載の発明は、請求項１記載のヒートポンプ式温水床暖房装置において、第１副循環路は、第１床暖房パネルの面内を熱媒が複数回循環するように設けられていることを特徴とする。
【０００９】
請求項３記載の発明は、請求項１または２記載のヒートポンプ式温水床暖房装置において、前記第１床暖房パネルは居室に敷設され、前記第２床暖房パネルは廊下に敷設されていることを特徴とする。
【００１０】
請求項４記載の発明は、請求項１〜３のいずれか１項に記載のヒートポンプ式温水床暖房装置が設けられていることを特徴とする建物である。
【００１１】
請求項５記載の発明は、ヒートポンプにより加熱された熱媒が、第１床暖房パネルから第２床暖房パネルを通って循環するヒートポンプ式温水床暖房装置を設けた建物であって、第１床暖房パネルと第２床暖房パネルは、それぞれ別室に敷設されていることを特徴とする
【００１２】
（作用）
請求項１記載の本発明のヒートポンプ式温水床暖房装置によると、第１副循環路での熱媒温度が所定の設定温度より低下した段階で、熱媒は第１副循環路から第２副循環路に流入し、第２副循環路を循環した後、ヒートポンプに戻るようになされているので、ヒートポンプへ戻った時点で、熱媒の戻り温度の低下幅が大きくなり、ヒートポンプのＣＯＰ（エネルギー消費効率）が向上する。
この際、ＣＯＰ向上のため、従来技術のように、インバータ制御機器を設けなくてもよいので、ヒートポンプ機器側の制御を複雑にしないですむ。
【００１３】
請求項２記載のヒートポンプ式温水床暖房装置によると、さらに、第１副循環路は、第１床暖房パネルの面内を熱媒が複数回循環するように設けられているので、熱媒の戻り温度の低下幅が一層大きくなり、ヒートポンプのＣＯＰ（エネルギー消費効率）が確実に向上する。
【００１４】
請求項３記載のヒートポンプ式温水床暖房装置によると、さらに、前記第１床暖房パネルは居室に敷設され、前記第２床暖房パネルは廊下に敷設されているから、居室床暖房の余熱を使って廊下をほのかに温めることができる。
この際、居室と廊下の温度差は小さくなり、居室から廊下に出るときのヒートショックを防止できる。
【００１５】
請求項４記載の建物は、請求項１〜３のいずれか１項に記載のヒートポンプ式温水床暖房装置が設けられているので、上記請求項１〜３のいずれか１項に記載の発明と同様の作用を奏する。
【００１６】
請求項５記載の建物は、第１床暖房パネルと第２床暖房パネルは、それぞれ別室に敷設され、ヒートポンプにより加熱された熱媒が、第１床暖房パネルから第２床暖房パネルを通って循環するので、ヒートポンプへ戻った時点で、熱媒の戻り温度の低下幅が大きくなり、ヒートポンプのＣＯＰ（エネルギー消費効率）が向上する。
例えば、居室に第１床暖房パネルを敷設し、別室である廊下に第２床暖房パネルを敷設する等、異なる部屋で異なる温度に暖房したい場合に好適である。
【００１７】
【発明の実施の形態】
図１は、本発明の一実施の形態であり、ヒートポンプ式温水床暖房装置を模式的に示す斜視図である。図２は、図１の温水の循環路の説明図である。
【００１８】
本実施の形態の建物は、建物内の一方側に居間２があり、建物内の他方側に廊下４がある。居間２の床部には、第１床暖房パネル３が敷設され、廊下４の床部には、第２床暖房パネル５が敷設されている。
【００１９】
本実施の形態のヒートポンプ式温水床暖房装置は、図１に示すように、ヒートポンプ１により加熱された温水が、居室２に敷設された第１床暖房パネル３と、廊下４に敷設された第２床暖房パネル５とを通って循環する循環路を備えている。
【００２０】
上記循環路は、管路の途中に、第１床暖房パネル３の面内を循環する第１副循環路７と、第２床暖房パネル５の面内を循環する第２副循環路９とを有している。
第１副循環路７は、第１床暖房パネル３の面内を温水が複数回循環するように設けられ、又は図２に示すように、面全体で一巡した後に一巡目の配管近傍に並設された２巡目の配管を通すことにより、面全体として温水が循環するように設けられる。第２副循環路９も上記第１副循環路７と同様である。
第１副循環路７での熱媒温度が所定の設定温度より低下した段階で、熱媒は第１副循環路７から第２副循環路９に流入し、第２副循環路９を循環した後、ヒートポンプ１に戻るようになされている。
【００２１】
具体的には、先ず、ヒートポンプ１により６０℃に加熱された温水は、導入管路６を経て第１床暖房パネル３内の第１副循環路７に導入され、第１床暖房パネル３内を複数回循環する。
その後、温水温度が、所定の設定温度である４０℃より低下した段階で、温水は、第１副循環路７から連結管路８を通り、第２床暖房パネル５内の第２副循環路９に流入する。
そして、第２副循環路９を複数回循環する間に、温水温度が２０℃以下に低下すると、温水は第２床暖房パネル５から戻り管路１０を通り、ヒートポンプ１に戻るように制御される。
【００２２】
（実施の形態の作用）
本実施の形態のヒートポンプ式温水床暖房装置と、これを設けた建物によると、第１副循環路７での温水温度が所定の設定温度４０℃より低下した段階で、温水は第１副循環路７から第２副循環路９に流入し、第２副循環路９を循環し、温水温度が２０℃以下に低下した後、ヒートポンプ１に戻るようになされているので、ヒートポンプ１へ戻った時点で、温水の戻り温度の低下幅は、６０℃−２０℃＝４０℃と大きくなり、ヒートポンプのＣＯＰ（エネルギー消費効率）が向上する。
この際、ＣＯＰ向上のため、従来技術のように、インバータ制御機器を設けなくてもよいので、ヒートポンプ機器側の制御を複雑にしないですむ。
【００２３】
さらに、前記第１床暖房パネル３は居室２に敷設され、前記第２床暖房パネル５は廊下４に敷設されているから、居室２の床暖房の余熱を使って廊下４をほのかに温めることができる。
この際、居室２と廊下４の温度差は小さくなり、居室２から廊下４に出るときのヒートショックを防止できる。
【００２４】
以上、本発明の一実施の形態を図面により詳述したが、本発明の具体的な構成はこの実施の形態に限られるものではなく、本発明の要旨を逸脱しない範囲の設計の変更等があっても本発明に含まれる。
例えば、居室を廊下より大きくしておき、居室内の床暖房パネルも複数枚用いて、エリアにより第１の１床暖パネル〜第１の２床暖パネル〜第１の３床暖パネル・・・〜第２の１床暖パネル〜第２の２床暖パネル、等としてもよい。
ヒートポンプ式床暖房装置には、他の空調手段の併用をしてもよいのは勿論である。
【００２５】
【発明の効果】
請求項１記載の本発明のヒートポンプ式温水床暖房装置によると、熱媒の戻り温度の低下幅が大きくなり、ヒートポンプのＣＯＰ（エネルギー消費効率）が向上する。
【００２６】
請求項２記載のヒートポンプ式温水床暖房装置によると、さらに、第１副循環路は、第１床暖房パネルの面内を熱媒が複数回循環するように設けられているので、熱媒の戻り温度の低下幅が一層大きくなり、ヒートポンプのＣＯＰ（エネルギー消費効率）が確実に向上する。
【００２７】
請求項３記載のヒートポンプ式温水床暖房装置によると、さらに、居室床暖房の余熱を使って廊下をほのかに温めることができる。この際、居室と廊下の温度差は小さくなり、居室から廊下に出るときのヒートショックを防止できる。
【００２８】
請求項４記載の建物は、請求項１〜３のいずれか１項に記載のヒートポンプ式温水床暖房装置が設けられているので、上記請求項１〜３のいずれか１項に記載の発明と同様の作用を奏する。
【００２９】
請求項５記載の建物によると、熱媒の戻り温度の低下幅が大きくなり、ヒートポンプのＣＯＰ（エネルギー消費効率）が向上する。
【図面の簡単な説明】
【図１】本発明の一実施の形態であり、ヒートポンプ式温水床暖房装置を模式的に示す斜視図である。
【図２】図１の温水の循環路の説明図である。
【符号の説明】
１  ヒートポンプ
２  居間
３  第１床暖房パネル
４  廊下
５  第２床暖房パネル
７  第１副循環路
９  第２副循環路
【図１】
2004308997.tif 000003
【図２】
2004308997.tif 000004